(57)【要約】【課題】  ガラス枠のヒンジ機構を複雑化及び大型化することなく従来通りの開閉角と不正防止機能を維持し、遊技機前面のデザインの自由度を向上することができる遊技機を得る。【解決手段】  ガラス枠２６の本体部分を構成するとともに左側端部が内枠１４に回動可能に軸支されたベース枠３０と、ベース枠３０の前面に配置された装飾部材３２との間に、ベース枠３０に対して装飾部材３２を幅方向に沿って相対移動可能に支持するスライドレール４４Ａ、４４Ｂを設ける。ガラス枠２６を開放する際には、ガラス枠２６を少しだけ開放して装飾部材３２をベース枠３０に対して右方向へスライドさせる。これにより、パチンコ機の不正操作防止用に設けられた内枠１４のリブ３４から装飾部材３２が離間され、ガラス枠２６を大きく開放できるようになる。【選択図】        図６
2006136476.tif 000002
【特許請求の範囲】
【請求項１】
遊技盤面を覆うとともにその遊技盤面を外部から視認可能とするガラス枠が遊技機本体の前面に開閉可能に取り付けられ、そのガラス枠が開閉されることにより遊技機本体の内部が開放及び閉塞される遊技機であって、
前記ガラス枠の本体部分を構成するとともに幅方向における一側端部が前記遊技機本体に回動可能に軸支された枠本体と、
前記枠本体の前面に設けられた装飾部材と、
前記遊技機本体の一側端部に設けられ、前記ガラス枠の閉塞時にガラス枠との間に生じる隙間を狭めて遊技機内への異物の進入を阻止する壁部と、
を有し、
前記ガラス枠の開放時に、前記装飾部材及び前記壁部の少なくとも一方が他方に対して離間する方向へ移動されることを特徴とする遊技機。
【請求項２】
遊技盤面を覆うとともにその遊技盤面を外部から視認可能とするガラス枠が遊技機本体の前面に開閉可能に取り付けられ、そのガラス枠が開閉されることにより遊技機本体の内部が開放及び閉塞される遊技機であって、
前記ガラス枠の本体部分を構成するとともに幅方向における一側端部が前記遊技機本体に回動可能に軸支された枠本体と、
前記枠本体の前面に配置された装飾部材と、
前記枠本体と前記装飾部材の間に設けられ、枠本体に対して装飾部材を前記幅方向に沿って相対移動可能に支持する支持手段と、
を有することを特徴とする遊技機。
【請求項３】
前記支持手段が、前記枠本体と前記装飾部材の間における上部と下部に配置された一対のスライドレールとされていることを特徴とする請求項２記載の遊技機。
【請求項４】
前記枠本体と前記装飾部材の間に、前記装飾部材を他側方へ付勢する付勢手段が更に設けられ、
前記遊技機本体と前記装飾部材の間に、前記ガラス枠が閉塞された状態では前記装飾部材を前記付勢手段の付勢力に抗して一側方へ移動させ所定の位置に保持するとともに、ガラス枠が開放されるのに伴い装飾部材を保持解除し、且つ、ガラス枠が閉塞されるのに伴い装飾部材を前記所定の位置に移動させて保持する移動手段が設けられていることを特徴とする請求項２又は請求項３記載の遊技機。
【発明の詳細な説明】
【技術分野】
【０００１】
本発明は、遊技盤面を覆うとともにその遊技盤面を外部から視認可能とするガラス枠が遊技機本体の前面に開閉可能に取り付けられた遊技機に関する。
【背景技術】
【０００２】
パチンコ機等の遊技機では、遊技機本体を構成する内枠の開口部に遊技盤が取り付けられ、遊技盤面は、内枠の前面に開閉可能に取り付けられたガラス枠によって覆われるとともにそのガラス枠を通して外部から視認可能とされている。
【０００３】
図１４に示される従来のガラス枠３００の場合、ベース枠（枠本体）３０２の左側部に設けられたヒンジ機構３０４の溝部３０６が、内枠３１０の左側部に設けられたヒンジ板３１２のヒンジ軸３１４に回動可能に軸支されて、内枠３１０に対し開閉可能とされており、このベース枠３０２の前面には、パチンコ機の前面部分に装飾を施すための装飾部材３０８が取り付けられている。また、内枠３１０左側面の前端部からは前方へ向けてリブ３１６が突出され、ベース枠３０２の左後角部からは略左方へ向けてリブ３１８が突出されており、これらのリブ３１６、３１８によって、図１４（Ａ）に示されるガラス枠３００の閉塞時には、内枠３１０の左側端部とベース枠３０２の左側端部との間に生じる隙間Ｓが狭められ、パチンコ機を不正に操作するためのピアノ線やセルロイド等が隙間Ｓからパチンコ機内へ進入（矢印Ａ）できないようにされている。
【０００４】
ただし、このガラス枠３００のように、ベース枠３０２を前方へ突出させてパチンコ機前面のデザインにボリュームを持たせるような場合（図１４（Ａ）の矢印Ｂ方向）、ガラス枠３００の開放時に、図１４（Ｂ）に示されるように開放動作の途中で装飾部材３０８の左側面３２０が内枠３１０のリブ３１６の先端に当接し、開放角度が制限されてしまうため、遊技盤の交換やパチンコ機内のメンテナンス等に影響がでてしまう。
【０００５】
これに対し、このようなガラス枠の開放角度の制限によるメンテナンス性の低下を防止するために、ガラス枠及び内枠の各側端部の間を２つのリンクで連結するヒンジ機構を用いることにより、ガラス枠の開放角度を拡大できるようにしたものがある（例えば、特許文献１参照）。
【特許文献１】特開２００２−１７７５７５号公報
【発明の開示】
【発明が解決しようとする課題】
【０００６】
しかしながら、上記の技術では、ヒンジ機構の構造が複雑であるとともに、ガラス枠を閉塞した際に２つのリンクを収納するための収納スペースを確保する必要がある。また、ガラス枠の荷重をリンクで支える構造であるため、ガラス枠の開放時にリンクの弾性変形による垂れ下がりが懸念され、そのような垂れ下がりを防止するためにリンクの剛性を上げると、リンク自体が大型化して上記の収納スペースをより大きくしなければならなくなる問題がある。
【０００７】
本発明は上記事実を考慮して、ガラス枠のヒンジ機構を複雑化及び大型化することなく従来通りの開閉角と不正防止機能を維持し、遊技機前面のデザインの自由度を向上することを課題とする。
【課題を解決するための手段】
【０００８】
上記目的を達成するために請求項１に記載の発明は、遊技盤面を透視可能とするガラス枠が遊技機本体の前面に開閉可能に取り付けられ、そのガラス枠が開閉されることにより遊技機本体の内部が開放及び閉塞される遊技機であって、前記ガラス枠の本体部分を構成するとともに幅方向における一側端部が前記遊技機本体に回動可能に軸支された枠本体と、前記枠本体の前面に設けられた装飾部材と、前記遊技機本体の一側端部に設けられ、前記ガラス枠の閉塞時にガラス枠との間に生じる隙間を狭めて遊技機内への異物の進入を阻止する壁部と、を有し、前記ガラス枠の開放時に、前記装飾部材及び前記壁部の少なくとも一方が他方に対して離間する方向へ移動されることを特徴としている。
【０００９】
請求項１に記載の発明では、遊技盤面は、遊技機本体の前面に開閉可能に取り付けられたガラス枠によって覆われるとともにそのガラス枠を通して外部から視認可能とされる。また、ガラス枠の閉塞時には、遊技機本体の一側端部に設けられた壁部によって遊技機本体とガラス枠との間に生じる隙間が狭められ、遊技機を不正に操作するためのピアノ線やセルロイド等の異物（不正具）が遊技機内へ進入されないようにされる。
【００１０】
このガラス枠を開放する際には、ガラス枠の本体部分を構成する枠本体の前面に設けられた装飾部材、及び、上記の壁部の少なくとも一方が他方に対して離間する方向へ移動される。これにより、例えば装飾部材を前方へ突出させて遊技機前面のデザインにボリュームを持たせるような構造でも、ガラス枠の開放途中で装飾部材の一側面が壁部に当接し、開放角度が制限されてしまうことはなく、ガラス枠を大きく開放できるようになる。したがって、ガラス枠のヒンジ機構が複雑化したり大型化することなく、従来通りの開閉角と不正防止機能を維持した状態で、遊技機前面のデザインの自由度を向上することができる。
【００１１】
請求項２に記載の発明は、外部から遊技盤面を視認可能とするガラス枠が遊技機本体の前面に開閉可能に取り付けられ、そのガラス枠が開閉されることにより遊技機本体の内部が開放及び閉塞される遊技機であって、前記ガラス枠の本体部分を構成するとともに幅方向における一側端部が前記遊技機本体に回動可能に軸支された枠本体と、前記枠本体の前面に配置された装飾部材と、前記枠本体と前記装飾部材の間に設けられ、枠本体に対して装飾部材を前記幅方向に沿って相対移動可能に支持する支持手段と、を有することを特徴としている。
【００１２】
請求項２に記載の発明では、遊技機本体の前面に開閉可能に取り付けられたガラス枠は、ガラス枠の本体部分を構成する枠本体の幅方向における一側端部が遊技機本体に回動可能に軸支され、このガラス枠を開放する際には、枠本体の前面に配置された装飾部材が支持手段により枠本体に対して幅方向に沿って他側方へ相対移動される。これにより、例えば装飾部材を前方へ突出させて遊技機前面のデザインにボリュームを持たせるような構造でも、遊技機本体とガラス枠との間に生じる隙間を狭めて遊技機を不正に操作できないようにするために遊技機本体の一側端部に設けられた壁部等に、ガラス枠の開放途中で装飾部材の一側面が当接して開放角度が制限されてしまうことはなくなり、ガラス枠を大きく開放できるようになる。したがって、ガラス枠のヒンジ機構が複雑化したり大型化することなく、従来通りの開閉角と不正防止機能を維持した状態で、遊技機前面のデザインの自由度を向上することができる。
【００１３】
請求項３に記載の発明は、請求項２記載の遊技機において、前記支持手段が、前記枠本体と前記装飾部材の間における上部と下部に配置された一対のスライドレールとされていることを特徴としている。
【００１４】
請求項３に記載の発明では、装飾部材は、枠本体と装飾部材の間における上部と下部に配置された一対のスライドレールにより支持されて枠本体に対し幅方向に沿って相対移動可能とされ、ガラス枠の開放時には、この一対のスライドレールによって他側方へ移動される。装飾部材を所望の方向へ移動可能に支持する支持手段をこのような機構的なスライドレールで構成することにより、支持手段を小型で安価にすることができる。
【００１５】
請求項４に記載の発明は、請求項２又は請求項３記載の遊技機において、前記枠本体と前記装飾部材の間に、前記装飾部材を他側方へ付勢する付勢手段が更に設けられ、前記遊技機本体と前記装飾部材の間に、前記ガラス枠が閉塞された状態では前記装飾部材を前記付勢手段の付勢力に抗して一側方へ移動させ所定の位置に保持するとともに、ガラス枠が開放されるのに伴い装飾部材を保持解除し、且つ、ガラス枠が閉塞されるのに伴い装飾部材を前記所定の位置に移動させて保持する移動手段が設けられていることを特徴としている。
【００１６】
請求項４に記載の発明では、ガラス枠を遊技機本体に閉塞した状態では、枠本体と装飾部材の間に設けられた付勢手段の付勢力に抗して装飾部材が移動手段により一側方へ移動され所定の位置に保持される。
【００１７】
ここで、ガラス枠が開放されると、それに伴い移動手段による装飾部材の保持が解除され、装飾部材が枠本体に対して幅方向に沿って他側方へ相対移動される。また、ガラス枠が閉塞される際には、装飾部材が移動手段により所定の位置に移動されて保持される。このように、ガラス枠の開閉では、装飾部材の移動操作をしなくとも、ガラス枠の開閉に伴って装飾部材が他側方及び一側方へ自動で移動されるため、ガラス枠を従来通り簡単に開閉することができる。
【発明の効果】
【００１８】
本発明の遊技機は上記構成としたので、ガラス枠のヒンジ機構を複雑化及び大型化することなく従来通りの開閉角と不正防止機能を維持し、遊技機前面のデザインの自由度を向上することができる。
【発明を実施するための最良の形態】
【００１９】
以下、本発明の実施形態に係るパチンコ機について図面を参照して説明する。
【００２０】
（第１の実施形態）
図１には本発明の第１実施形態に係るパチンコ機に適用される内枠、ガラス枠、及び遊技盤が示されている。
【００２１】
図１に示されるように、パチンコ機の本体部分を構成する内枠１４は、上部に矩形状の開口部２８が形成された矩形額縁状とされており、開口部２８には、遊技盤１００がセットされるようになっている。
【００２２】
遊技盤１００は、装飾画を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。また、遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）等がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００２３】
内枠１４の前面上部には、ガラス板２２を装着したガラスフレーム２４を窓部２５に備えるガラス枠２６が配置されている。このガラス枠２６は、本体部分を構成するとともに上記の窓部２５を有して裏面にガラスフレーム２４が取り付けられたベース枠３０と、ベース枠３０の前面に取り付けられてパチンコ機の前面部分に装飾を施す装飾部材３２を備え、ベース枠３０の左側端部が内枠１４に軸支されて内枠１４に開閉可能とされるとともに、後述するガラス枠取付機構１６０によって内枠１４に着脱可能とされている。このガラス枠２６を内枠１４に閉塞することにより、遊技盤１００がガラス枠２６（ガラス板２２）に覆われ、遊技者は、パチンコ機の正面側からガラス板２２を通して遊技盤１００の盤面１００Ａ（遊技領域１０１）を視認することができる。
【００２４】
図１に示されるように、ガラス枠２６の本体部分を構成するベース枠３０裏面の左側端部には、上下方向に延出されるとともに、上端部及び下端部がベース枠３０の左上角部及び左下角部付近まで延出されたガラス枠補強板１５０が取り付けられている。ガラス枠補強板１５０の下端部には、ベース枠３０の前面側へ略直角に曲げ形成された下ヒンジ部１５２が設けられ、この下ヒンジ部１５２にはヒンジ孔（図示省略）が形成されている。また、内枠１４の開口部２８の左下隅部には下ヒンジ板１５４が取り付けられており、下ヒンジ板１５４にはヒンジ軸（図示省略）が立設されている。この下ヒンジ板１５４のヒンジ軸に、ガラス枠補強板１５０の下ヒンジ部１５２のヒンジ孔が挿入されることで、ベース枠３０を含むガラス枠２６の左下端部は内枠１４に軸支されている。
【００２５】
一方、ガラス枠補強板１５０の上端部には、図１及び図２に示されるように、上ヒンジ機構１７０が設けられており、内枠１４の左上角部には、上ヒンジ機構１７０に対応するヒンジ軸１６４が下面に設けられた上ヒンジ板１６２が取り付けられている。ガラス枠２６を内枠１４に開閉可能及び着脱可能に取り付ける前述したガラス枠取付機構１６０は、この内枠１４に取り付けられた上ヒンジ板１６２、及びガラス枠２６に取り付けられたガラス枠補強板１５０の上ヒンジ機構１７０により構成されている。
【００２６】
図３に示されるように、上ヒンジ板１６２の下面に設けられたヒンジ軸１６４は、所定の径寸法とされたヒンジ軸部１６６と、ヒンジ軸部１６６よりも少し小径とされたカシメ部１６８とを備えた段付軸とされており、カシメ部１６８が上ヒンジ板１６２に形成された取付孔１６９に下方から圧入されて取り付けられている。
【００２７】
ガラス枠２６の上ヒンジ機構１７０は、図２に示されるように、ガラス枠補強板１５０の補強板本体１７２における上端１７４から少し下がった位置に、略矩形状に形成された開口部１７６を備えている。開口部１７６の上縁には、ガラス枠２６の前面側へ略直角に曲げ形成された下板部１７８が設けられており、下板部１７８の略中央には円形孔１８０が形成されている。
【００２８】
また、ガラス枠２６の裏面における下板部１７８の下側には、ブロック状のサポート部１８２が設けられている。サポート部１８２には、上面及び裏面が開口され上下方向に沿って延出された縦溝部１８４が形成されており、この縦溝部１８４は、下板部１７８の円形孔１８０の真下に位置するとともに、内幅寸法が円形孔１８０の径寸法よりも少し大きくされている。
【００２９】
補強板本体１７２の上端１７４には、下板部１７８と対応する中板部１８６が設けられている。中板部１８６は、補強板本体１７２の上端１７４からベース枠３０の前面側へ略直角に曲げ形成され、下板部１７８と略平行に配置されている。中板部１８６の略中央には、下板部１７８の円形孔１８０と同径で、且つ、円形孔１８０と同軸的に配置された円形孔１８８が形成されている。
【００３０】
中板部１８６の前端には、その前端から上方へ略直角に曲げ形成された縦板部１９０が設けられている。縦板部１９０の上端には、その上端から補強板本体１７２（ベース枠３０の裏面側）へ略直角に曲げ形成された上板部１９２が設けられている。
【００３１】
したがって、補強板本体１７２の上端１７４に一体的に設けられている中板部１８６、縦板部１９０、及び上板部１９２は、上端１７４から上方へ突出されて図示のようにコ字状に形成され、中板部１８６及び上板部１９２が略平行に配置されている。また、上板部１９２には、内枠１４側に設けられたヒンジ軸１６４のヒンジ軸部１６６と対応する溝部１９４が形成されている。
【００３２】
図２に示されるように、同軸的に配置された下板部１７８の円形孔１８０及び中板部１８６の円形孔１８８には、ストッパー軸２０４が挿通されている。ストッパー軸２０４は、軸径が円形孔１８０、１８８の内径よりも僅かに小径とされており、円形孔１８０、１８８に挿通されるストッパー軸部２０６、及び、ストッパー軸部２０６の下端からストッパー軸部２０６に対して略直角に曲げ形成された操作部２０８を備えている。
【００３３】
また、ストッパー軸部２０６の上部周面には、ストッパー軸部２０６の上端から所定寸法下がった位置に周溝部（図示省略）が形成されており、この周溝部には、Ｅリング２１０が嵌め込まれて固定されている（図３参照）。Ｅリング２１０は、ストッパー軸２０４が円形孔１８０、１８８に挿通された状態では、図示のように中板部１８６の下側に配置されている。また、このＥリング２１０と下板部１７８との間には、ストッパー軸部２０６に挿通されて圧縮コイルスプリング２１２が配置されている。これにより、ストッパー軸２０４は、ストッパー軸部２０６に挿通されＥリング２１０と下板部１７８との間に配置された圧縮コイルスプリング２１２によって上方へ付勢され、Ｅリング２１０が中板部１８６の下面に当接した位置に保持される。
【００３４】
このような構成からなる上ヒンジ機構１７０では、ストッパー軸２０４の操作部２０８を圧縮コイルスプリング２１２の付勢力に抗して指で押し下げると、ストッパー軸２０４は円形孔１８０、１８８にガイドされて下方へ移動する。この下方への移動は、操作部２０８の下端部が縦溝部１８４の下面に当接することで制限される。
【００３５】
図３（Ａ）に示されるように、ストッパー軸２０４が自由状態とされてＥリング２１０が中板部１８６の下面に当接しているときは、ストッパー軸部２０６の先端部が溝部１９４の開口部２１４に進入して開口部２１４内に配置されるとともに、ストッパー軸部２０６の上端面は上板部１９２の上面よりも僅かに下がった位置に配置される。また、操作部２０８が押し下げられストッパー軸２０４が最下方位置へ移動したときは、図３（Ｂ）に示されるように、ストッパー軸部２０６の先端部が溝部１９４の開口部２１４から退避するとともに、ストッパー軸部２０６の上端面は上板部１９２の下面から所定距離下がった位置に配置される。
【００３６】
このストッパー軸２０４の操作による上下動によって、内枠１４側の上ヒンジ板１６２のヒンジ軸１６４（ヒンジ軸部１６６）に、ガラス枠２６側の上ヒンジ機構１７０の溝部１９４を係合及び係合解除できるようになり、これにより、ガラス枠２６は内枠１４に着脱可能とされる。また、図２及び図３（Ａ）に示される係合状態では、ヒンジ軸部１６６と溝部１９４がストッパー軸２０４によって係合状態に保持されるとともに、上ヒンジ機構１７０がヒンジ軸１６４（軸線Ｌ）を中心に回転可能となり、これによって、ガラス枠２６を内枠１４に対して開閉できるようになる。
【００３７】
図４に示されるように、内枠１４裏面の左側端部（正面視右側端部）には、上下方向に延出された施錠装置５２が取り付けられている。この施錠装置５２の下部にはシリンダー錠（錠前）５４が設けられており、シリンダー錠５４の鍵孔は、内枠１４前面の右下部に設けられた台座５５から露出されている。また、施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。
【００３８】
これにより、ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に施錠され、閉塞状態に保持される。また、ガラス枠固定用フック６２Ａ、６２Ｂは、シリンダー錠５４の鍵孔に鍵を差し込んで所定の方向に回すことにより、係合状態が解除され解錠される。
【００３９】
図５及び図８に示されるように、内枠１４の左側面の前端部からは、従来の内枠３１０と同じく前方へ向けてリブ３４が突出されており、このリブ３４は、図５に示されるように上下方向に沿って延設されている。また、図８に示されるように、ガラス枠２６のベース枠３０の左後角部からは、従来のガラス枠３００のベース枠３０２と同じく略左方へ向けてリブ３６が突出されている。そして、これらのリブ３４、３６により、図８に示されるガラス枠２６の閉塞時には、従来同様に、内枠１４の左側端部とガラス枠２６のベース枠３０の左側端部との間に生じる隙間Ｓが狭められる。
【００４０】
また、本実施形態のガラス枠２６は、図５に示されるように、装飾部材３２の前面における左上角部３８Ｌ及び右上角部３８Ｒが前方へ略三角錐状に大きく突出されるとともに、前面の中央部４２に対して左側部４０Ｌ及び右側部４０Ｒが前方へ少し突出されたデザインとされ、このガラス枠２６を平面視すると、図６に示されるように、装飾部材３２の前面が凹曲面状とされている。
【００４１】
また、このガラス枠２６には、ベース枠３０と装飾部材３２の間における上部と下部に、幅方向に沿って延出された一対のスライドレール４４Ａ、４４Ｂが配置されている。これらのスライドレール４４Ａ、４４Ｂは、幅方向に沿って相対移動（直線移動）する２つの可動レール４６、４８を備え、図８に示されるように、後側に配置された一方の可動レール４６がベース枠３０に固定され、前側に配置された他方の可動レール４８が装飾部材３２に固定されている。装飾部材３２は、この一対のスライドレール４４Ａ、４４Ｂに支持されてベース枠３０の前面に取り付けられており、また、この一対のスライドレール４４Ａ、４４Ｂによって、ベース枠３０に対し幅方向（図５の矢印Ｗ方向）に沿って所定距離だけ相対移動可能とされている。
【００４２】
次に、以上説明した本実施形態に係るパチンコ機におけるガラス枠２６の開閉動作及び作用について説明する。
【００４３】
本実施形態のパチンコ機では、図５及び図８に示されるに、パチンコ機本体を構成する内枠１４にガラス枠２６を閉塞すると、前述したように、リブ３４、３６によって内枠１４の左側端部とガラス枠２６のベース枠３０の左側端部との間に生じる隙間Ｓが狭められるため、パチンコ機を不正に操作するためのピアノ線やセルロイド等が隙間Ｓを通してパチンコ機内へ進入（矢印Ａ）できないようなる。
【００４４】
また、ガラス枠２６を開放する際には、図９に示されるように、まず内枠１４に対してガラス枠２６を少しだけ（例えば３０〜４５度程度）開放し、その状態で、図６及び図１０に示されるように、ガラス枠２６の装飾部材３２をベース枠３０に対して右方向へスライドさせる。これにより、装飾部材３２の左上角部３８Ｌ及び左側部４０Ｌが内枠１４のリブ３４から離間され、そのままガラス枠２６を開放すると、図７及び図１１に示されるように、従来のガラス枠３００よりもガラス枠２６を大きく（例えば９０度以上）開放することができる。
【００４５】
また、図７及び図１１に示されるように、ほぼ最大角度まで開放したガラス枠２６を内枠１４に閉塞する際には、開放時とは逆の手順で行う。すなわち、開放位置にあるガラス枠２６を閉塞方向へ回動させて内枠１４の少し手前で停止させ、その状態で、装飾部材３２を左方向へスライドさせて元に位置に戻し、そのまま内枠１４に閉塞する。
【００４６】
以上説明したように、装飾部材３２を前方へ突出させてパチンコ機前面のデザインにボリュームを持たせるようにした本実施形態のガラス枠２６では、従来のように開放途中で装飾部材３２の左側面が内枠１４のリブ３４に当接し、開放角度が制限されてしまうことはなく、大きく開放できるようになる。また、一対のスライドレール４４Ａ、４４Ｂを用いてベース枠３０に対し装飾部材３２を移動させる構成であるため、ガラス枠２６のヒンジ機構が複雑化したり大型化することなく、従来通りの開閉角と不正防止機能を維持した状態で、パチンコ機前面のデザインの自由度を向上することができる。
【００４７】
また、本実施形態では、上記のようにベース枠３０に対して装飾部材３２を所望の方向へ移動可能に支持する支持手段を、機構的なスライドレール４４Ａ、４４Ｂで構成したことにより、支持手段を小型で安価にすることができる。
【００４８】
（第２の実施形態）
次に本発明の第２実施形態について説明する。なお、第１実施形態と同一の部分には同一の符号を付して説明を省略し、第１実施形態と異なる部分についてのみ説明する。
【００４９】
図１２に示されるように、本第２実施形態に係るガラス枠２２０では、装飾部材３２内の右側端部の近傍に、引っ張りコイルスプリング２２２が２個設けられている（図１２では引っ張りコイルスプリング２２２を１個だけ図示している）。この２個の引っ張りコイルスプリング２２２は、ベース枠３０と装飾部材３２の間における上部と下部に配置された一対のスライドレール４４Ａ、４４Ｂの近傍にそれぞれ配置されており、ベース枠３０前面から装飾部材３２内へ突出されたスプリング取付壁部２２４に右端部が引っ掛けられ、このスプリング取付壁部２２４に対向して装飾部材３２内に設けられたスプリング取付壁部２２６に左端部が引っ掛けられることにより、ベース枠３０と装飾部材３２の間に取り付けられている。これにより、本実施形態のガラス枠２２０では、装飾部材３２が２個の引っ張りコイルスプリング２２２によってベース枠３０に対し右方向へ付勢されている。
【００５０】
また、装飾部材３２の裏面における左側には、ベース枠３０を貫通して後方へ突出された突出部材２３０が２個設けられている（図１２では突出部材２３０を１個だけ図示している）。この２個の突出部材２３０も、上記２個の引っ張りコイルスプリング２２２と同じく、ベース枠３０と装飾部材３２の間における上部と下部に配置された一対のスライドレール４４Ａ、４４Ｂの近傍にそれぞれ配置されており、各先端部には回転ローラ２３２がそれぞれ取り付けられている。
【００５１】
一方、本実施形態に係る内枠２４０の前面には、ガラス枠２２０の各突出部材２３０に対応する２個のガイド部材２４２が設けられている。各ガイド部材２４２の左前角部には、平面視にて扇形状の円弧面となる凹曲面２４４が形成されており、この凹曲面２４４の半径は回転ローラ２３２の半径よりも大きくされている。
【００５２】
本実施形態の内枠２４０及びガラス枠２２０は以上の構成とされており、このガラス枠２２０を内枠２４０に閉塞したときには、突出部材２３０の回転ローラ２３２がガイド部材２４２の左側面２４６に当接し（図１２の破線位置）、装飾部材３２は引っ張りコイルスプリング２２２の付勢力に抗して左側へ移動され所定の位置に保持される。
【００５３】
その状態で、ガラス枠２２０が開放されると、突出部材２３０の回転ローラ２３２は前方へ移動しつつガイド部材２４２の左側面２４６から凹曲面２４４へ移行し、ガイド部材２４２から離間する。これに伴い、装飾部材３２は引っ張りコイルスプリング２２２の付勢力でベース枠３０に対し幅方向に沿って右側へ相対移動する。
【００５４】
また、ガラス枠２２０の閉塞では、ガラス枠２２０を閉塞方向へ回動させて内枠２４０に接近させると、ガラス枠２２０側の回転ローラ２３２が内枠２４０側のガイド部材２４２の凹曲面２４４に接触し、そのままガラス枠２２０を閉塞方向へ押すと、回転ローラ２３２が後方へ移動しつつ凹曲面２４４にガイドされて左方にも移動する。これに伴い、装飾部材３２は引っ張りコイルスプリング２２２の付勢力に抗してベース枠３０に対し幅方向に沿って左側へ相対移動する。そして、ガラス枠２２０が完全に閉塞されると、回転ローラ２３２がガイド部材２４２の凹曲面２４４から左側面２４６へ移行し、装飾部材３２は元の所定の位置に保持される。
【００５５】
このように、本実施形態では、ガラス枠２２０を開閉する際に、第１実施形態のように装飾部材３２の移動操作をしなくとも、ガラス枠２２０の開閉に伴って装飾部材３２が左右方向へ自動で移動されるため、ガラス枠を従来通り簡単に開閉することができる。
【００５６】
また、上記のようにベース枠３０に対して装飾部材３２を所望の方向へ自動で移動させるための移動手段を、機構的な引っ張りコイルスプリング２２２、突出部材２３０、及びガイド部材２４２で構成したことにより、移動手段を小型で安価にすることができる。
【００５７】
（第３の実施形態）
次に本発明の第３実施形態について説明する。なお、第１実施形態と同一の部分には同一の符号を付して説明を省略し、第１実施形態と異なる部分についてのみ説明する。
【００５８】
図１３（Ａ）、（Ｂ）に示されるように、本第３実施形態に係る内枠２５０は、左側端部に、前後方向に沿って延出されたスライドレール２５２が埋設されている。このスライドレール２５２は、前後方向に沿って相対移動（直線移動）する２つの可動レール２５４、２５６を備え、図示のように、内側に配置された可動レール２５４が内枠２５０の左側面部に固定され、外側に配置された可動レール２５６にはリブ３４が取り付けられている。リブ３４は、このスライドレール２５２に支持されて内枠２５０左側面の前端部に配置されるとともに、前後幅方向（図１３（Ａ）の矢印Ｚ方向）に沿って所定距離だけ移動可能とされている。
【００５９】
リブ３４が固定された可動レール２５６は、内枠２５０の内部に設けられたリニアアクチュエータ２５８に接続されており、このリニアアクチュエータ２５８によって前後方向へ移動される。また、内枠２５０の前面には、ガラス枠２７０の開閉状態を検出する検出スイッチ２６２が設けられており、この検出スイッチ２６２が出力する検出信号は、パチンコ機の各種動作を制御する制御部２６０に入力される。そして、制御部２６０は、この検出スイッチ２６２による検出信号に基づいて、リニアアクチュエータ２５８を駆動制御する。
【００６０】
一方、本実施形態のガラス枠２７０は、上述した第１及び第２実施形態のようなスライド機構は組み込まれておらず、従来のガラス枠３００と同様に、装飾部材３２がベース枠３０に固定的に取り付けられている。
【００６１】
本実施形態の内枠２５０及びガラス枠２７０は以上の構成とされており、このガラス枠２７０を図１３（Ａ）に示されるように内枠２５０に閉塞したときには、検出スイッチ２６２がガラス枠２７０の閉塞状態であることを示す検出信号（ＯＮ信号）を制御部２６０に出力し、制御部２６０は、この検出信号に基づいて可動レール２５６及びリブ３４を所定の位置に保持するようリニアアクチュエータ２５８を駆動制御する。
【００６２】
これにより、内枠２５０側のリブ３４と、ガラス枠２７０側のリブ３６の間に形成される隙間Ｓが狭められ、パチンコ機を不正に操作するための不正具が隙間Ｓからパチンコ機内へ進入できないようにされる。
【００６３】
この状態から、ガラス枠２７０を図１３（Ｂ）に示されるように開放すると、検出スイッチ２６２はガラス枠２７０が開放されたことを検出し、その開放状態であることを示す検出信号（ＯＦＦ信号）を制御部２６０に出力する。制御部２６０は、この検出信号に基づいて可動レール２５６及びリブ３４を後方へ移動させるようリニアアクチュエータ２５８を駆動制御する。これにより、内枠２５０のリブ３４が後方へ移動してガラス枠２７０の装飾部材３２から離間され、ガラス枠２７０を大きく開放できるようになる。
【００６４】
また、ガラス枠２７０を内枠２５０に閉塞すると、検出スイッチ２６２によってガラス枠２７０の閉塞が検出され、リニアアクチュエータ２５８により可動レール２５６が前方へ駆動されてリブ３４は前方へ移動し、元の所定の位置に戻されて保持される。
【００６５】
このように、本実施形態では、スライドレール２５２と電気的駆動手段を用いて内枠２５０のリブ３４を移動させる構成であるため、第１及び第２実施形態と同じく、ガラス枠２７０の装飾部材３２を前方へ突出させてパチンコ機前面のデザインにボリュームを持たせる構造としても、ガラス枠２７０を大きく開放することができる。また、第１及び第２実施形態と同じく、ガラス枠２７０のヒンジ機構が複雑化したり大型化することなく、従来通りの開閉角と不正防止機能を維持した状態で、パチンコ機前面のデザインの自由度を向上することができる。
【００６６】
また、本実施形態では、ガラス枠２７０を開閉する際に、ガラス枠２７０の開閉に伴い内枠２５０のリブ３４が前後方向へ自動で移動されるため、ガラス枠を簡単に開閉することができる。
【００６７】
以上、本発明を上述した第１〜第３の実施形態により詳細に説明したが、本発明はそれらに限定されるものではなく、本発明の範囲内にて他の種々の形態が実施可能である。
【００６８】
例えば、第１実施形態のガラス枠２６においては、ベース枠３０と装飾部材３２の間に、装飾部材３２をベース枠３０にロック及びロック解除するロック機構を設けるとともに、ガラス枠２６を開放するとそのロック機構が露出されて操作可能となり、ガラス枠２６の開放時には装飾部材３２のロックを解除して右側へのスライドを可能とし、ガラス枠２６の閉塞時には装飾部材３２を左側へスライドさせてベース枠３０にロックし保持するようにしてもよい。
【００６９】
また、第２実施形態では、装飾部材３２を機構的な移動手段によって移動させる構成としているが、第３実施形態のような電気的駆動手段を用いて移動させることも可能である。また逆に、第３実施形態では、リブ３４を電気的駆動手段によって移動させる構成としているが、第２実施形態のような機構的な移動手段によって移動させることも可能である。
【００７０】
また、上述した第１〜第３の実施形態では、ガラス枠の装飾部材及び内枠のリブの何れか一方を移動させる場合で説明したが、これらの装飾部材及びリブを共に移動させるようにしてもよい。
【図面の簡単な説明】
【００７１】
【図１】第１の実施形態に係るパチンコ機における内枠、ガラス枠、及び遊技盤を示す正面側から見た斜視図である。
【図２】図１のパチンコ機におけるガラス枠取付機構付近を示す斜視図である。
【図３】（Ａ）、（Ｂ）は図２のガラス枠取付機構における溝部に係合したヒンジ軸とストッパー軸との位置関係を示す側面図である。
【図４】第１の実施形態に係るパチンコ機における内枠を示す裏面側から見た斜視図である。
【図５】第１の実施形態に係る内枠にガラス枠が閉塞された状態を示す斜視図である。
【図６】第１の実施形態に係る内枠に対してガラス枠が少しだけ開閉された状態を示す平面図である。
【図７】第１の実施形態に係る内枠に対してガラス枠がほぼ最大角度まで開閉された状態を示す平面図である。
【図８】第１の実施形態に係る内枠にガラス枠が閉塞された状態のガラス枠取付機構付近を示す平面図である。
【図９】第１の実施形態に係る内枠に対してガラス枠が少しだけ開閉された状態のガラス枠取付機構付近を示す平面図である。
【図１０】図６に対応するガラス枠取付機構付近を示す拡大平面図である。
【図１１】図７に対応するガラス枠取付機構付近を示す拡大平面図である。
【図１２】第２の実施形態に係る内枠に対してガラス枠が少しだけ開閉された状態を示す平面図である。
【図１３】（Ａ）は第３の実施形態に係る内枠にガラス枠が閉塞された状態のガラス枠取付機構付近を示す平面図で、（Ｂ）は（Ａ）の状態からガラス枠が開閉された状態のガラス枠取付機構付近を示す平面図である。
【図１４】従来の内枠にガラス枠が閉塞された状態のガラス枠取付機構付近を示す平面図で、（Ｂ）は（Ａ）の状態からガラス枠が開閉された状態を示す平面図である。
【符号の説明】
【００７２】
１４   内枠（遊技機本体）
２６   ガラス枠
３０   ベース枠（枠本体）
３２   装飾部材
３４   リブ（壁部）
４４Ａ スライドレール（支持手段／一対のスライドレール）
４４Ｂ スライドレール（支持手段／一対のスライドレール）
２２０ ガラス枠
２２２ コイルスプリング（付勢手段）
２３０ 突出部材（移動手段）
２３２ 回転ローラ（移動手段）
２４０ 内枠
２４２ ガイド部材（移動手段）
２５０ 内枠
２７０ ガラス枠
【図１】
2006136476.tif 000003
【図２】
2006136476.tif 000004
【図３】
2006136476.tif 000005
【図４】
2006136476.tif 000006
【図５】
2006136476.tif 000007
【図６】
2006136476.tif 000008
【図７】
2006136476.tif 000009
【図８】
2006136476.tif 000010
【図９】
2006136476.tif 000011
【図１０】
2006136476.tif 000012
【図１１】
2006136476.tif 000013
【図１２】
2006136476.tif 000014
【図１３】
2006136476.tif 000015
【図１４】
2006136476.tif 000016